(57)【要約】      （修正有）【課題】機構部を集約して配置することができ、開口部を小さくすることができるクランプ式鎖錠装置を提供する。【解決手段】ハンドル本体１２と、ハンドル本体１２に頭部が軸支される取手部１３を備え、上下方向に並ぶ第一のクランプ部２１と第二のクランプ部３１を取手部１３の起伏操作によって動作させるクランプ式鎖錠装置１において、第一のクランプ部２１と、第二のクランプ部３１と、その何れか一方のクランプ部を動作させる第１リンク２２と、他方のクランプ部を動作させる第２リンクとを、取手部１３の回動中心となる第１軸１５の一方側に配置した構成とする。【選択図】図１０
2018150733.tif 000002
【特許請求の範囲】
【請求項１】
ハンドル本体と、ハンドル本体に頭部が軸支される取手部を備え、上下方向に並ぶ第一のクランプ部と第二のクランプ部を取手部の起伏操作によって動作させるクランプ式鎖錠装置において、第一のクランプ部と、第二のクランプ部と、その何れか一方のクランプ部を動作させる第１リンクと、他方のクランプ部を動作させる第２リンクとを、取手部の回動中心となる第１軸の一方側に配置したクランプ式鎖錠装置。
【請求項２】
ハンドルの取手部をハンドル本体に回動可能に接続する第１軸と、ハンドルと第１リンクとを回動可能に接続する第２軸と、第１リンクと第一のクランプ部を回動可能に接続する第３軸を備え、取手部の閉じ操作時に第２軸が第１軸と第３軸とを結ぶ中立線を越えて移動し、取手部を閉じた際の第２軸は、第１軸に対して第３軸よりも遠い位置に形成した請求項１記載のクランプ式鎖錠装置。
【請求項３】
ハンドルの取手部と第２リンクとを回動可能に接続する第４軸と、第２リンクと第二のクランプ部を回動可能に接続する第５軸を備え、取手部の閉じ操作時に第１軸と第５軸とを結ぶ中立線を越えて移動する第４軸は第１軸と第５軸の間に位置する
請求項２記載のクランプ式鎖錠装置
【請求項４】
第２軸と第４軸は取手部が回動するときに同一半径の軌跡を描く請求項３記載のクランプ式鎖錠装置。
【発明の詳細な説明】
【技術分野】
【０００１】
本発明は、クランプ式鎖錠装置に関するものである。
【背景技術】
【０００２】
特許文献１に記載されているように、取手の回動軸を挟んだ両側位置に、上下クランプ部の基部をそれぞれ枢着し、ハンドル本体と上下クランプ部を連結する第１リンクと第２リンクを形成したクランプ式鎖錠装置は知られている。また、各リンクやリンクを支持する取手の一部が取手の回動時に出入りする開口部を形成することも知られている。
【先行技術文献】
【特許文献】
【０００３】
【特許文献１】特許第５３４５０８６号公報
【０００４】
ところで、従来、フック間の距離が大きくなる為、取手の操作により機構部が出入りする大きな開口部が必要であったが、開口部が大きくなることにより水の浸入経路が大きくなるという問題があった。
【発明の概要】
【発明が解決しようとする課題】
【０００５】
本件の発明者は、この点について鋭意検討することにより、解決を試みた。本発明の課題は、機構部を集約して配置することができ、開口部を小さくすることができるクランプ式鎖錠装置とすることである。
【課題を解決するための手段】
【０００６】
上記課題を解決するため、ハンドル本体と、ハンドル本体に頭部が軸支される取手部を備え、上下方向に並ぶ第一のクランプ部と第二のクランプ部を取手部の起伏操作によって動作させるクランプ式鎖錠装置において、第一のクランプ部と、第二のクランプ部と、その何れか一方のクランプ部を動作させる第１リンクと、他方のクランプ部を動作させる第２リンクとを、取手部の回動中心となる第１軸の一方側に配置したクランプ式鎖錠装置とする。
【０００７】
ハンドルの取手部をハンドル本体に回動可能に接続する第１軸と、ハンドルと第１リンクとを回動可能に接続する第２軸と、第１リンクと第一のクランプ部を回動可能に接続する第３軸を備え、取手部の閉じ操作時に第２軸が第１軸と第３軸とを結ぶ中立線を越えて移動し、取手部を閉じた際の第２軸は、第１軸に対して第３軸よりも遠い位置に形成することが好ましい。
【０００８】
ハンドルの取手部と第２リンクとを回動可能に接続する第４軸と、第２リンクと第二のクランプ部を回動可能に接続する第５軸を備え、取手部の閉じ操作時に第１軸と第５軸とを結ぶ中立線を越えて移動する第４軸は、第１軸と第５軸の間に位置する
構成とすることが好ましい。
【０００９】
第２軸と第４軸は取手部が回動するときに同一半径の軌跡を描く構成とすることが好ましい。
【発明の効果】
【００１０】
本発明では、機構部を集約して配置することができ、開口部を小さくすることができるクランプ式鎖錠装置とすることが可能となる。
【図面の簡単な説明】
【００１１】
【図１】鎖錠装置を備えた電気機器収納用箱の斜視図である。
【図２】扉が開いた状態の電気機器収納用箱の斜視図である。
【図３】取手部を閉じた状態の鎖錠装置を前面側から見た斜視図である。
【図４】取手部を閉じた状態の鎖錠装置を後面側から見た斜視図である。
【図５】取手部を開けた状態の鎖錠装置を前面側から見た斜視図である。
【図６】取手部を開けた状態の鎖錠装置を後面側から見た斜視図である。
【図７】取手部を開けた状態の鎖錠装置の側面図である。
【図８】図７の状態からやや取手部を閉じた状態の鎖錠装置の側面図である。
【図９】図８の状態からやや取手部を閉じた状態の鎖錠装置の側面図である。
【図１０】取手部を閉じた状態の鎖錠装置の側面図である。
【図１１】取手部を開けた状態の鎖錠装置の側面図である。
【図１２】図１１の状態からやや取手部を閉じた状態の鎖錠装置の側面図である。
【図１３】図１２の状態からやや取手部を閉じた状態の鎖錠装置の側面図である。
【図１４】取手部を閉じた状態の鎖錠装置の側面図である。
【図１５】トグルバネと第４軸と第７軸との関係を示した図である。
【発明を実施するための形態】
【００１２】
以下に発明を実施するための形態を示す。本実施形態のクランプ式鎖錠装置１は図１に示すように箱本体５と扉６を備える電気機器収納用箱に組み込まれるものである。この鎖錠装置１は箱本体５の開口を覆う扉６の表面に取手部１３が位置するように固定部１８を介して取り付けられている。また、図２に示すように、扉６の裏面側には、機構部の構成要素である第一のクランプ部２１と第二のクランプ部３１が上下方向に並ぶように位置している。ここで、上下方向はクランプ式鎖錠装置１の長手方向を示し、前後方向はクランプ式鎖錠装置１の取手部１３の起伏方向を示している。
【００１３】
図３乃至図６に示すことから理解されるように、本実施形態のクランプ式鎖錠装置１は、ハンドル本体１２と、ハンドル本体１２に頭部が軸支される扉６の前面に位置される取手部１３と、上下方向に並ぶ一方のクランプ部である第一のクランプ部２１と他方のクランプ部である第二のクランプ部３１を取手部１３の起伏操作によって動作させる動作軸部保持部１４を有するハンドル１１からなるものである。また、図７に示すことから理解されるように、このクランプ式鎖錠装置１は、第一のクランプ部２１と、第二のクランプ部３１と、その何れか一方のクランプ部である第一クランプ部２１を動作させる第１リンク２２と、他方のクランプ部である第二クランプ部３１を動作させる第２リンク３２とを、取手部１３の回動中心となる第１軸１５の一方側に配置している。したがって、機構部を集約して配置することができ、開口部１６を小さくすることができるクランプ式鎖錠装置１とすることが可能となり、開口部１６を小さくできる。なお、図７に示すことから理解されるように、取手部１３の頭部を軸支する第１軸１５は、機構部を通過する開口部１６とは異なる位置に形成された凹部１２ａ内で軸支されている。そのため開口部１６を小さくできるため、開口部１６を覆うパッキン１９の形状がシンプルになり、パッキン１９の加工が容易となる。
【００１４】
本実施形態のクランプ部２１，３１には、ロッド棒６１が接続されている。ハンドル１１の取手部１３の起伏操作をすると、クランプ部２１，３１が互いに逆方向に回動すると共に、クランプ部２１，３１に接続されたロッド棒６１は、扉６に形成されたロッド棒支持金具６２にガイドされるように摺動する。このようにして移動したロッド棒６１が箱本体５に形成した係止片５１に係止されると、扉６をロックすることになる。なお、ロッド棒６１は必須のものではなく、例えば、クランプ部２１，３１が係止片５１に係止されることで扉６をロックするものであっても良い。
【００１５】
すなわち、クランプ部２１、３１が閉じた状態では、ロッド棒６１が係止片５１に係止された状態、または、クランプ部２１、３１が係止片５１に係止された状態で、扉６が箱本体５に閉塞される。また、クランプ部２１、３１が開いた状態では、ロッド棒６１が係止片５１への係止を解除した状態やクランプ部２１、３１が係止片５１への係止を解除した状態で、扉６を箱本体５に対して回動可能な状態を示すものである。ここで、図３、図４に示すように取手部１３の閉じた状態から、図５、図６に示すように取手部１３を起伏操作した際には、第１のクランプ部２１は時計回りに開く方向に回動し、第２のクランプ部３１は反時計回りに開く方向に回動する。
【００１６】
ここで本実施形態の第一のクランプ部２１周りについて詳しく説明する。本実施形態の鎖錠装置１には、ハンドル１１の取手部１３をハンドル本体１２に回動可能に接続する第１軸１５が設けられている。また、ハンドル１１と第１リンク２２とを回動可能に接続する第２軸２３、第１リンク２２と第一のクランプ部２１を回動可能に接続する第３軸２４が設けられている。また、第一のクランプ部２１をハンドル本体１２に回動可能に接続する第６軸２５を備えている。
【００１７】
図７から図１０までは、取手部１３が開いている状態から閉じるまでを順に示している。なお、第１軸１５と第３軸２４とを結ぶ中立線Ａと第２軸２３との関係を理解しやすくするため、この中立線Ａを破線で表している。また、取手部１３が閉じた状態から開いた状態への移行は、この逆の流れで行われる。
【００１８】
本実施形態においては、取手部１３の閉じ操作時に第２軸２３が第１軸１５と第３軸２４とを結ぶ中立線Ａを越えて移動し、図１０に示すように、第１軸１５と第３軸２４とを結ぶ中立線Ａを越えた状態においては、第一のクランプ部２１に反力を受けても、取手部１３が開く方向に動くことは無い。むしろ取手部１３がハンドル本体１２に密着するように荷重がかかる。これは、第一のクランプ部２１などが箱本体５の係止片５１に係止されたとき、係止片５１から受けた反力や箱本体５と扉６間に形成するパッキンの反力から第２軸２３に向けて与えられる力は、第１軸１５と第３軸２４とを結ぶ中立線Ａと第２軸２３との位置関係上、取手部１３が閉方向に動こうとするように作用するからである。また、この取手部１３が閉じた際に第２軸２３が、第１軸１５に対して第３軸２４よりも遠い位置に、詳しくは、第２軸２３は第１軸１５と第３軸２４より下方位置に形成している。
【００１９】
次に第二のクランプ部３１周りについて詳しく説明する。本実施形態の鎖錠装置１には、ハンドル１１と第２リンク３２とを回動可能に接続する第４軸３３と、第２リンク３２と他方のクランプ部を回動可能に接続する第５軸３４を備えている。
【００２０】
図１１から図１４までは、図７から図１０までと同様、取手部１３が開いている状態から閉じるまでを順に示している。しかし、図１１から図１４では第１軸１５と第５軸３４とを結ぶ中立線Ｂと第２軸２３との関係を理解しやすくするため、この中立線Ｂを破線で表している。
【００２１】
取手部１３の閉じ操作時に、第４軸３３は、第１軸１５と第５軸３４とを結ぶ中立線Ｂを越えて移動する。図１４に示すように、第４軸３３が第１軸１５と第５軸３４とを結ぶ中立線Ｂを越えた状態においては、第二のクランプ部３１に反力を受けても取手部１３が開く方向に動くことは無い。この場合においても、第二のクランプ部３１に受ける反力が取手部１３を閉方向に動こうとするように作用する。この第４軸３３は、取手部１３を閉じた際に、第１軸１５と第５軸３４の間に位置している。
【００２２】
また、本実施形態の第４軸３３は取手部１３を閉じた際に、第２軸２３と前後位置に重なるような位置関係、詳しくは、第１リンク２２と第２リンク３２を回動可能に軸支する第２軸２３と第４軸３３を第１軸１５に対して同一半径の位置となり、取手部１３を回動したとき、第２軸２３と第４軸３３は同じ半径の軌跡を描く構造となっている。このため、平板状の取手部１３から背面方向に延びる動作軸部保持部１４や第１リンク２２や第２リンク３２などの開口部１６から前後に出入りする部分を集約することができ、開口部１６の大きさを抑制することが可能となる。なお、本実施形態の第二のクランプ部３１は第７軸３５により、ハンドル本体１２に対して回動可能に接続されている。また、第２軸と第４軸３３を第１軸１５に対して同一半径の位置にするため、取手部１３の起伏操作における動作距離が同じとなり、第一クランプ部２１と第二クランプ部３１の動きやロッド棒６１の可動領域を上下対称とすることが容易に行えるものである。
【００２３】
図１５に示すように、本実施形態においては、トグルバネ４１を備えている。このトグルバネ４１は、取手部１３を閉方向に移動させた際に、取手部１３が閉状態とするように付勢する。このため、不用意に扉６が開放されることを防ぐことができる。なお、トグルバネ４１は取手部１３を開方向に移動させた際に、取手部１３が開状態となるように付勢する。このため、取手部１３の起伏操作を行い易くなっている。
【００２４】
本実施形態では第一のクランプ部２１と第二のクランプ部３１は、リンク構造がそれぞれ独立しており、それぞれがクランプ部に掛かる反力に対して回動することを防止する構造となっている。また、動作軸部保持部１４や第１リンク２２や第２リンク３２を集約することでハンドル１１と各リンクの固定部分を小さくすることができ、ハンドル１１を短く形成することが可能となる。
【００２５】
以上、一つの実施形態を中心に説明してきたが、本発明は上記実施形態に限定されることはなく、各種の態様とすることが可能である。
【符号の説明】
【００２６】
１  鎖錠措置
１１  ハンドル
１２  ハンドル本体
１３  取手部
１５  第１軸
２１  第１のクランプ部
２２  第１リンク
２３  第２軸
２４  第３軸
３１  第２のクランプ部
３２  第２リンク
３３  第４軸
３４  第５軸
Ａ  中立線
Ｂ  中立線
【図１】
2018150733.tif 000003
【図２】
2018150733.tif 000004
【図３】
2018150733.tif 000005
【図４】
2018150733.tif 000006
【図５】
2018150733.tif 000007
【図６】
2018150733.tif 000008
【図７】
2018150733.tif 000009
【図８】
2018150733.tif 000010
【図９】
2018150733.tif 000011
【図１０】
2018150733.tif 000012
【図１１】
2018150733.tif 000013
【図１２】
2018150733.tif 000014
【図１３】
2018150733.tif 000015
【図１４】
2018150733.tif 000016
【図１５】
2018150733.tif 000017